(57)【要約】  本方法は、検査プロセスの特定のステップまたは部分を識別するように構成された識別情報を提供する。特定のステップまたは部分に関係する補足データは、識別情報に少なくとも部分的に基づいて受信される。この補足データは、検査員または他の操作員に提示される。【選択図】図１
2016511866.tif 000002
【特許請求の範囲】
【請求項１】
コンピュータプロセッサを介して、検査プロセス（２９０）の特定のステップまたは部分を識別するように構成された識別情報を提供するステップと、
前記識別情報に少なくとも部分的に基づいて前記特定のステップまたは部分に関係する補足データ（３２４）を受信するステップと、
前記補足データ（３２４）を提示するステップと
を含む、方法。
【請求項２】
データクエリの形式でデータプロバイダサービス（３０８）へ前記識別情報を提供するステップを含む、請求項１記載の方法。
【請求項３】
前記識別情報を提供するステップが、前記検査プロセス（２９０）の現在のステップを決定するサブステップと、前記現在のステップに関係した前記識別情報を提供するサブステップとを含む、請求項１記載の方法。
【請求項４】
前記検査プロセス（２９０）のオーバービューを識別する識別情報を提供するステップと、
前記検査プロセス（２９０）の前記オーバービューに関係する補足データ（４１６、４２０、４２６、４３２、４３８）を受信するステップと
を含む、請求項１記載の方法。
【請求項５】
前記補足データ（４１６、４２０、４２６、４３２、４３８）を受信するステップが、前記検査プロセス（２９０）に関係する導入情報を受信するサブステップを含む、請求項４記載の方法。
【請求項６】
前記補足データ（３２４）を受信するステップが、
前記検査プロセス（２９０）中に検査すべき対象物、前記検査プロセス（２９０）に関与する特定のひとまとまりの設備（１２、１４、１６、２２、９２、９４、９６）、前記検査プロセス（２９０）に関係する過去の検査データ（３１４）、またはこれらの任意の組合せに関係するデータを受信するサブステップ
を含む、請求項１記載の方法。
【請求項７】
前記特定のステップまたは部分に関係する前記補足データ（４１６、４２０、４２６、４３２、４３８）に並べて前記特定のステップまたは部分のための命令（４１４、４１８、４２４、４３０、４３６）を提示するステップを含む、請求項１記載の方法。
【請求項８】
検査設備が実行するために使用される検査プロセス（２９０）の特定のステップまたは部分を決定するように構成されたステップ決定論理素子と、
少なくとも前記特定のステップまたは部分に関係する補足データ（３２４）をデータプロバイダに問い合わせ、かつ前記データプロバイダから前記補足データ（３２４）を受信するように構成された通信回路と、
前記補足データ（３２４）、前記補足データ（３２４）に関係する情報、または両方を提示するように構成された少なくとも１つのヒューマンマシンインターフェースと
を備える、検査設備。
【請求項９】
前記ステップ決定論理素子が、
検査計画の前記特定のステップまたは部分を指定する入力を受信するように構成された入力デバイスと、
前記入力を解釈する論理素子と
を備える、請求項８記載の検査設備。
【請求項１０】
前記入力デバイスが、キーパッド、タッチスクリーン、ハードウェアベースの入力構造、ソフトウェアベースの入力構造、マイクロフォン、またはこれらの任意の組合せを含む、請求項９記載の検査設備。
【請求項１１】
前記通信回路が、
前記データプロバイダに直接問い合わせ、または
前記データプロバイダに通信可能に結合される前記検査デバイスの外部のデバイスを介して前記データプロバイダに問い合わせ、または両方を行う
ように構成される、請求項８記載の検査設備。
【請求項１２】
前記補足データ（３２４）が、前記ヒューマンマシンインターフェース、引き続き処理するためのプロセッサ、または両方に提示可能な、オーディオ、ビデオ、画像、またはこれらの任意の組合せを含む、請求項８記載の検査設備。
【請求項１３】
検査プロセス（２９０）の特定のステップまたは部分に関係する補足データ（３２４）を求める要求を受信し、
１つまたは複数のデータ供給源から前記補足データ（３２４）を集め、
前記補足データ（３２４）の要求者へ前記集めた補足データ（３２４）を提供する
ように構成された、データプロバイダ
を備える、システム。
【請求項１４】
前記１つまたは複数のデータ供給源が、前記検査プロセス（２９０）中に検査した対象物、前記検査プロセス（２９０）中に使用した検査デバイス、もしくは前記検査プロセス（２９０）に関係する過去のデータ（３１４）、またはこれらの任意の組合せ、に関係するデータを含む少なくとも１つのデータリポジトリを備える、請求項１３記載のシステム。
【請求項１５】
前記データプロバイダが、前記要求者および前記データプロバイダに通信可能に結合され、前記要求者から離れているデバイスから、通り抜け部を介して前記要求者に前記集めた補足データ（３２４）を提供するように構成される、請求項１４記載のシステム。
【請求項１６】
前記データプロバイダが、クラウドベースのデータプロバイダ（３１０）である、請求項１４記載のシステム。
【請求項１７】
前記データプロバイダに前記補足データ（３２４）を要求し、
前記データプロバイダから前記集めた補足データ（３２４）を受信し、
前記集めた補足データ（３２４）を提示する
ように構成された、ひとまとまりの検査設備（１２、１４、１６、２２、９２、９４、９６、３０２）を備える、請求項１３記載のシステム。
【請求項１８】
第２のひとまとまりの検査設備（３０４）を備え、前記第２のひとまとまりの検査設備（３０４）は、前記ひとまとまりの検査設備（１２、１４、１６、２２、９２、９４、９６、３０２）が前記データプロバイダに直接通信可能に結合されていないときに、前記ひとまとまりの検査設備（１２、１４、１６、２２、９２、９４、９６、３０２）に前記補足データ（３２４）を提供するための通り抜け部として働くように構成される、請求項１７記載のシステム。
【請求項１９】
前記ひとまとまりの検査設備（１２、１４、１６、２２、９２、９４、９６、３０２）が、処理のためにプロセッサに前記集めた補足データ（３２４）を提示するように構成される、請求項１７記載のシステム。
【請求項２０】
前記特定のステップまたは部分が、前記検査プロセス（２９０）を通して検査した対象物を表す全体の部分、前記対象物の構成部品を表す構成部品部分、前記構成部品の検査に関する特定のステップ、または前記検査プロセス（２９０）の終わりを表す結論部分、を含む、請求項１３記載のシステム。
【発明の詳細な説明】
【技術分野】
【０００１】
本明細書において開示する主題は、検査計画を立てること、実行すること、および報告することに関する。より具体的には、本明細書において開示する主題は、検査中に、検査を促進させることができる参考資料を提供することに関する。
【背景技術】
【０００２】
発電の設備および施設、石油およびガスの設備および施設、航空機の設備および施設、製造の設備および施設、などのある種の設備および施設は、複数の相互に関係するシステムおよびプロセスを含む。例えば、発電プラントは、タービンシステム、ならびにタービンシステムを運転するためおよび整備するためのプロセスを含むことができる。同じように、石油およびガスの操業は、炭素系燃料回収システムおよびパイプラインを介して相互接続された処理設備を含むことができる。同様に、航空機システムは、航空機、および耐空性を維持しかつ整備サポートを提供する際に有用な整備格納庫を含むことができる。設備運転中に、設備が劣化することがあり、総合的な設備有効性に潜在的に影響を及ぼす腐食、摩耗および断裂、などの望ましくない状態に直面することがある。非破壊検査技術または非破壊試験（ＮＤＴ：ｎｏｎ−ｄｅｓｔｒａｃｔｉｖｅ  ｔｅｓｔｉｎｇ）技術などのある種の検査技術を、望ましくない設備状態を検出するために使用することができる。
【０００３】
従来型のＮＤＴシステムでは、携帯型メモリデバイス、書類を使用して、または電話を介して他のＮＤＴ操作員またはＮＤＴ要員と、データを共有する可能性がある。したがって、ＮＤＴ要員間でデータを共有するための時間の長さは、物理的携帯型メモリデバイスがその目標物へ物理的に送り届けられる速度に主として依存することがある。したがって、例えば、多様なシステムおよび設備をより効率的に試験し、かつ検査するために、ＮＤＴシステムのデータ共有能力を向上させることは有益である。ＮＤＴは、将来の有用性を低下させることなく、対象物、材料、またはシステムを試験することに関する。特に、特定の製品に関係する時間に敏感な検査データを使用して製品の完全性を判断するために、ＮＤＴ検査を使用することができる。例えば、ＮＤＴ検査は、特定の期間にわたり製品の「摩耗および断裂」を観察することができる。
【０００４】
ＮＤＴの多くの形態が現在知られている。例えば、おそらく最も一般的なＮＤＴ方法は、目視試験である。目視試験の間に、検査員は、例えば、目に見える不完全性に関して対象物を単純に目視検査することができる。あるいは、目視検査を、コンピュータ誘導型カメラ、ボアスコープ、などの光学技術を使用して行うことができる。ラジオグラフィは、ＮＤＴのもう１つの形態である。ラジオグラフィは、製品内の欠陥を意味することがある製品に対する厚さおよび／または密度の変化を検出するために放射線（例えば、Ｘ線および／またはガンマ線）を使用することに関係する。さらに、超音波試験は、製品に対する変化および／または不完全性を検出するために製品中へと高周波数音波を伝えることに関係する。パルスエコー技術を使用すると、製品中へと導入され不完全部から反響する音は、受信部へと戻り、不完全部が存在することを知らせる。ＮＤＴの多くの他の形態が存在する。例えば、いくつかをあげると、磁粉試験、浸透剤試験、電磁試験、漏れ試験、およびアコースティックエミッション試験がある。
【０００５】
しばしば、試験される製品の複雑な性質のために、製品検査は非常に複雑なことがある。例えば、安全性および検査規格が最高に重要である航空機は、非常に複雑な機械である。ボーイング７７７航空機は、３００万個もの部品を有する可能性がある。したがって、莫大な量の時間および労力が、定期的にこれらの航空機を検査するために費やされる。さらに、データの傾向を理解するために、検査結果を比較しかつ対比するように、以前の検査に関する過去のデータを使用することができる。さらに、製造者または他の供給源によって提供される参考試料がそうであるように、製品の全体の集団（例えば、ボーイング７７７の集団）についての検査データは、検査目的のために有用であり得る。認識されるように、大量のデータを、検査プロセスにおいて集めかつ使用することができる。このデータは、多くの供給源から引き出すことができ、正確な検査にとっては極めて重要であり得る。
【０００６】
残念ながら、従来型の検査システムでは、このデータにアクセスすることは、主に手作業である。この手作業は、検査要員および設備の非効率的な使用につながることがある。したがって、検査データをフィルタ処理するためおよび／またはこれにアクセスするためのシステムおよび方法の改善が望まれる。
【先行技術文献】
【特許文献】
【０００７】
【特許文献１】米国特許出願公開第２０１１／２５７９０３号明細書
【発明の概要】
【０００８】
当初に特許請求した本発明と範囲において同等のある種の実施形態を下記に要約する。これらの実施形態は、特許請求した発明の範囲を限定することを意味するのではなく、むしろ本発明の可能性のある形態の簡潔な要約を提供することだけを意味する。実際に、本発明は、以下に記述する実施形態と類似しても異なってもよい多様な形態を包含することができる。
【０００９】
一実施形態では、方法を提供する。本方法は、コンピュータプロセッサを介して、検査プロセスの特定のステップまたは部分を識別するように構成された識別情報を提供するステップと、識別情報に少なくとも部分的に基づいて特定のステップまたは部分に関係する補足データを受信するステップと、補足データを提示するステップとを含む。
【００１０】
第２の実施形態では、検査設備を提供する。本検査設備は、検査設備が実行するために使用される検査プロセスの特定のステップまたは部分を決定するステップ決定論理素子と、少なくとも特定のステップまたは部分に関係する補足データをデータプロバイダに問い合わせ、かつデータプロバイダから補足データを受信する通信回路と、補足データを提示する少なくとも１つの提示デバイスとを含む。
【００１１】
第３の実施形態では、システムを提供する。本システムは、検査プロセスの特定のステップまたは部分に関係する補足データを求める要求を受信し、１つまたは複数のデータ供給源から補足データを集め、補足データの要求者に集めた補足データを提供するデータプロバイダを含む。
【００１２】
本発明のこれらのおよびその他の特徴、態様および長所は、添付した図面を参照して下記の詳細な説明を読むと、より理解が深まる。図面では、類似の参照符号は、図面全体を通して類似の部品を表す。
【図面の簡単な説明】
【００１３】
【図１】モバイルデバイスを含む分散型非破壊試験（ＮＤＴ）システムの実施形態を図示するブロック図である。
【図２】図１の分散型ＮＤＴシステムの実施形態をさらに詳細に図示するブロック図である。
【図３】図１のモバイルデバイスおよび「クラウド」に通信可能に結合されたボアスコープシステム１４の実施形態を図示する前面図である。
【図４】図１のモバイルデバイスに通信可能に結合されたパンチルトズーム（ＰＴＺ：ｐａｎ−ｔｉｌｔ−ｚｏｏｍ）カメラシステムの実施形態の説明図である。
【図５】検査データなどのデータの計画を立て、検査し、解析し、報告し、共有するために分散型ＮＤＴシステムを使用する際に有用なプロセスの実施形態を図示するフローチャートである。
【図６】ワイアレスコンジットを通る情報の流れの実施形態のブロック図である。
【図７】ある実施形態による、検査中に参考情報を提供するためのプロセスを図示するフローチャートである。
【図８】ある実施形態による、検査中に参考情報を提供するために有用な検査システムの模式図である。
【図９】ある実施形態による、検査中に参考情報を提供するために有用な代替検査システムの模式図である。
【図１０Ａ】ある実施形態による、ステップに特有の補足データを提示する進行過程の模式図である。
【図１０Ｂ】ある実施形態による、ステップに特有の補足データを提示する進行過程の模式図である。
【発明を実施するための形態】
【００１４】
１つまたは複数の具体的な実施形態を以下に説明する。これらの実施形態の簡潔な説明を提供することを目指して、実際の実装形態のすべての特徴を明細書中では記述しないことがある。いずれかのこのような実際の実装形態の開発において、いずれかのエンジニアリングプロジェクトまたは設計プロジェクトにおけるように、システムに関係する制約およびビジネスに関係する制約に伴うコンプライアンスなどの、実装形態ごとに変わることがある開発者に特有なゴールを達成するために、数多くの実装形態に特有の判断を行わなければならないことを、認識すべきである。その上、このような開発の試みは、複雑でありかつ長時間を必要とする場合があるが、本開示の恩恵を受ける当業者にとっては設計、製作、および製造の日常的な業務であることを、認識すべきである。
【００１５】
本発明の様々な実施形態の要素を導入するときに、「１つ（ａ）」、「１つ（ａｎ）」、「その（ｔｈｅ）」、および「前記（ｓａｉｄ）」という冠詞は、要素の１つまたは複数があることを意味するものとする。「備える（ｃｏｍｐｒｉｓｉｎｇ）」、「含む（ｉｎｃｌｕｄｉｎｇ）」および「有する（ｈａｖｉｎｇ）」という用語は、包括的であり、列挙した要素の他にさらなる要素があり得ることを意味するものとする。
【００１６】
本開示の実施形態を、非破壊試験（ＮＤＴ）または検査システムを含む多様な検査技術および試験技術に適用することができる。ＮＤＴシステムでは、腐食、設備の摩耗および断裂、クラッキング、漏れ、などを含むが、これらに限定されない多様な状態を解析し、検出するために、ボアスコープ検査、溶接部検査、遠隔目視検査、Ｘ線検査、超音波検査、渦電流検査、などのある種の技術を使用することができる。本明細書において説明する技術は、ボアスコープ検査、遠隔目視検査、Ｘ線検査、超音波検査、および／または渦電流検査に適した改善したＮＤＴシステムを提供し、データ収集、データ解析、検査／試験プロセス、およびＮＤＴコラボレーション技術の強化を可能にする。
【００１７】
本明細書において説明する改善したＮＤＴシステムは、タブレット、スマートフォン、および拡張現実メガネなどのモバイルデバイス、ノーブック、ラップトップ、ワークステーション、パーソナルコンピュータなどのコンピューティングデバイス、ならびにクラウドベースのＮＤＴエコシステム、クラウド分析、クラウドベースのコラボレーションおよびワークフローシステム、分散型コンピューティングシステム、エキスパートシステム、および／または知識ベースのシステムなどの「クラウド」コンピューティングシステムに検査設備を通信可能に結合するのに適したワイアレスコンジットを使用する検査設備を含むことができる。実際に、本明細書において説明する技術は、強化したＮＤＴデータ収集、解析、およびデータ配布を提供することができ、したがって、望ましくない状態を検出することを改善し、整備活動を強化し、施設および設備の投資収益率（ＲＯＩ）を増加させる。
【００１８】
一実施形態では、Ｇｅｎｅｒａｌ  Ｅｌｅｃｔｒｉｃ，  Ｃｏ．，  ｏｆ  Ｓｃｈｅｎｅｃｔａｄｙ，  Ｎｅｗ  Ｙｏｒｋから入手可能であり、例えば、強化したワイアレス表示能力、遠隔制御、データ解析および／またはデータ通信をＮＤＴ検査デバイスへ提供するために使用される、ＭＥＮＴＯＲ（商標）ＮＤＴ検査デバイスなどのＮＤＴ検査デバイス（例えば、ボアスコープ、搬送可能なパンチルトズームカメラ、渦電流デバイス、Ｘ線検査デバイス、超音波検査デバイス）に、タブレットを通信可能に結合することができる。他のモバイルデバイスを使用できるとはいえ、タブレットが、ディスプレイを大きくしかつその解像度を増加させ、処理コアの能力を向上させ、メモリを大きくし、電池寿命を延ばすことができる限り、タブレットの使用は適切である。したがって、タブレットは、データの視認性を向上させること、検査デバイスの操作制御を改善すること、および複数の外部システムおよびエンティティへコラボレイティブな共有を拡張することなどの、ある種の課題に対処することができる。
【００１９】
上記を覚えておいて、本開示は、ＮＤＴシステムから取得したデータを共有することならびに／またはＮＤＴシステム内のアプリケーションおよび／もしくはデバイスを制御することに向けられる。一般に、ＮＤＴシステムから生成されたデータを、本明細書において開示する技術を使用して様々な人物または人物のグループへ自動的に配布することができる。その上、ＮＤＴシステム内のデバイスをモニタするためおよび制御するための仮想のコラボレイティブな環境を作り出すために、ＮＤＴシステム内のデバイスをモニタするためおよび／または制御するために使用するアプリケーションによって表示されるコンテンツを、構成員の間で共有することができる。
【００２０】
導入として、ここで図１に転じると、図は、分散型ＮＤＴシステム１０の実施形態のブロック図である。描かれた実施形態では、分散型ＮＤＴシステム１０は、１つまたは複数のＮＤＴ検査デバイス１２を含むことができる。ＮＤＴ検査デバイス１２を、少なくとも２つのカテゴリに分けることができる。図１に描いたカテゴリの１つでは、ＮＤＴ検査デバイス１２は、多様な設備および環境を目視検査するのに適したデバイスを含むことができる。下記の図２に関してより詳細に説明する別のカテゴリでは、ＮＤＴデバイス１２は、Ｘ線検査モダリティ、渦電流検査モダリティ、および／または超音波検査モダリティなどの目視検査モダリティに対する代替形態を提供するデバイスを含むことができる。
【００２１】
図１の描いた第１の例のカテゴリでは、ＮＤＴ検査デバイス１２は、１つまたは複数のプロセッサ１５およびメモリ１７を有するボアスコープ１４、ならびに１つまたは複数のプロセッサ１９およびメモリ２１を有する搬送可能なパンチルトズーム（ＰＴＺ）カメラ１６を含むことができる。目視検査デバイスのこの第１のカテゴリでは、ボアスコープ１４およびＰＴＺカメラ１６を、例えば、ターボ機械１８および施設またはサイト２０を検査するために使用することができる。図示したように、１つまたは複数のプロセッサ２３およびメモリ２５をやはり有するモバイルデバイス２２に、ボアスコープ１４およびＰＴＺカメラ１６を通信可能に結合することができる。モバイルデバイス２２は、例えば、タブレット、セルフォン（例えば、スマートフォン）、ノートブック、ラップトップ、またはいずれかの他のモバイルコンピューティングデバイスを含むことができる。しかしながら、タブレットが、スクリーンサイズ、重量、計算能力、および電池寿命の間のバランスを良好にとる限り、タブレットの使用は適切である。したがって、一実施形態では、モバイルデバイス２２を、タッチスクリーン入力部を提供する上に述べたタブレットとすることができる。多様なワイアレスコンジットまたは有線コンジットを介して、モバイルデバイス２２を、ボアスコープ１４および／またはＰＴＺカメラ１６などのＮＤＴ検査デバイス１２に通信可能に結合することができる。例えば、ワイアレスコンジットは、ＷｉＦｉ（例えば、米国電気電子学会［ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ］８０２．１１Ｘ）、セルラコンジット（例えば、高速パケットアクセス［ＨＳＰＡ：ｈｉｇｈ  ｓｐｅｅｄ  ｐａｃｋｅｔ  ａｃｃｅｓｓ］、ＨＳＰＡ＋、ロングタームエボリューション［ＬＴＥ：ｌｏｎｇ  ｔｅｒｍ  ｅｖｏｌｕｔｉｏｎ］、ＷｉＭａｘ）、近距離無線通信（ＮＦＣ：ｎｅａｒ  ｆｉｅｌｄ  ｃｏｍｍｕｎｉｃａｔｉｏｎ）、ブルートゥース、パーソナルエリアネットワーク（ＰＡＮ：ｐｅｒｓｏｎａｌ  ａｒｅａ  ｎｅｔｗｏｒｋ）、などを含むことができる。ワイアレスコンジットは、ＴＣＰ／ＩＰ、ＵＤＰ、ＳＣＴＰ、ソケットレイヤ、などの多様な通信プロトコルを使用することができる。ある種の実施形態では、ワイアレスコンジットまたは有線コンジットは、セキュアソケットレイヤ（ＳＳＬ：ｓｅｃｕｒｅ  ｓｏｃｋｅｔ  ｌａｙｅｒｓ）、仮想プライベートネットワーク（ＶＰＮ：ｖｉｒｔｕａｌ  ｐｒｉｖａｔｅ  ｎｅｔｗｏｒｋ）レイヤ、暗号レイヤ、チャレンジ鍵認証レイヤ、トークン認証レイヤ、などの安全なレイヤを含むことができる。有線コンジットは、専用ケーブル配線、ＲＪ４５ケーブル配線、同軸ケーブル、光ファイバケーブル、などを含むことができる。
【００２２】
加えてまたは代わりに、モバイルデバイス２２を、「クラウド」２４を介してボアスコープ１４および／またはＰＴＺカメラ１６などのＮＤＴ検査デバイス１２に通信可能に結合することができる。実際に、モバイルデバイス２２は、検査を受けようとしている物理的な場所から遠くの地理的な場所を含む任意の地理的な場所からＮＤＴ検査デバイス１２とインターフェースで接続するために、クラウド２４コンピューティング、およびＨＴＴＰ、ＨＴＴＰＳ、ＴＣＰ／ＩＰ、サービス指向アーキテクチャ（ＳＯＡ：ｓｅｒｖｉｃｅ  ｏｒｉｅｎｔｅｄ  ａｒｃｈｉｔｅｃｔｕｒｅ）プロトコル（例えば、シンプルオブジェクトアクセスプロトコル［ＳＯＡＰ：ｓｉｍｐｌｅ  ｏｂｊｅｃｔ  ａｃｃｅｓｓ  ｐｒｏｔｏｃｏｌ］、ウェブサービス記述言語（ＷＳＤＬ：ｗｅｂ  ｓｅｒｖｉｃｅ  ｄｅｓｃｒｉｐｔｉｏｎ  ｌａｎｇｕａｇｅｓ）を含むが、これらに限定されない通信技術（例えば、クラウドコンピューティングネットワーク）を使用することができる。さらに、一実施形態では、モバイルデバイス２２は、「ホットスポット」機能を提供することができ、ホットスポットでは、モバイルデバイス２２が、コンピューティングシステム２９（例えば、コンピュータ、ラップトップ、仮想マシン［ＶＭ：ｖｉｒｔｕａｌ  ｍａｃｈｉｎｅ］、デスクトップ、ワークステーション）などのクラウド２４内のまたはクラウド２４に接続された他のシステムにＮＤＴ検査デバイス１２を接続するのに適したワイアレスアクセスポイント（ＷＡＰ：ｗｉｒｅｌｅｓｓ  ａｃｃｅｓｓ  ｐｏｉｎｔ）機能を提供することができる。したがって、多者間ワークフロー、データ収集、およびデータ解析を提供することによって、コラボレーションを強化することができる。
【００２３】
例えば、ボアスコープ操作員２６は、１つの場所でボアスコープ１４を物理的に操作することができ、一方で、モバイルデバイス操作員２８は、遠隔制御技術を介して第２の場所でボアスコープ１４とインターフェースで接続しかつ物理的に操作するためにモバイルデバイス２２を使用することができる。第２の場所は、第１の場所に近接していても、第１の場所から地理的に離れていてもよい。同じように、カメラ操作員３０は、第３の場所でＰＴＺカメラ１６を物理的に操作することができ、モバイルデバイス操作員２８は、モバイルデバイス２２を使用することによって第４の場所でＰＴＺカメラ１６を遠隔制御することができる。第４の場所は、第３の場所に近接していても、第３の場所から地理的に離れていてもよい。操作員２６および３０によって実行されるあらゆる制御行為を、モバイルデバイス２２を介して操作員２８によってさらに実行することができる。加えて、ボイスオーバーＩＰ（ＶＯＩＰ：ｖｏｉｃｅ  ｏｖｅｒ  ＩＰ）、仮想ホワイトボーディング、テキストメッセージ、などの技術を介してデバイス１４、１６、および２２を使用することによって、操作員２８は、操作員２６および／または３０と通信することができる。操作員２８、操作員２６、および操作員３０の間の遠隔コラボレーション技術を提供することによって、本明細書において説明する技術は、ワークフローを強化することができ、リソース効率を高めることができる。実際に、非破壊試験プロセスは、モバイルデバイス２２、ＮＤＴ検査デバイス１２、およびクラウド２４に結合された外部システムとクラウド２４の通信による結合を活用することができる。
【００２４】
動作モードの１つでは、下記により詳細に説明されるように、例えば、大型スクリーンディスプレイ、より強力なデータ処理、ならびにモバイルデバイス２２によって提供される多様なインターフェース技術を活用するために、モバイルデバイス２２を、ボアスコープ操作員２６および／またはカメラ操作員３０によって操作することができる。実際に、モバイルデバイス２２を、それぞれの操作員２６および３０によってデバイス１４および１６と一緒にまたは協調して操作することができる。このように自由度を高めることにより、人的リソースを含むリソースの利用性を向上させ、検査結果を改善する。
【００２５】
操作員２８、２６、および／または３０によって制御されるかどうかにかかわらず、多種多様な設備および施設を目視検査するために、ボアスコープ１４および／またはＰＴＺカメラ１６を使用することができる。例えば、ボアスコープ１４を、ターボ機械１８の複数のボアスコープポートおよび他の場所へと挿入することができ、そうすることによって、ターボ機械１８の多数の構成部品を照明し、かつ目視観察を行うことができる。描いた実施形態では、ターボ機械１８は、炭素質燃料を機械的な力へと変換するのに適したガスタービンとして図示される。しかしながら、圧縮機、ポンプ、ターボエキスパンダ、風力タービン、ハイドロタービン、産業設備、および／または住宅設備を含む、他の設備タイプを検査することができる。ターボ機械１８（例えば、ガスタービン）は、本明細書において説明するＮＤＴ検査デバイス１２によって検査することができる多様な構成部品を含むことができる。
【００２６】
上記を覚えておいて、本明細書において説明する実施形態を使用することによって検査することができるある種のターボ機械１８の構成部品を論じることは、有益である。例えば、図１に描いたターボ機械１８のある種の構成部品を、腐食、溶食、クラッキング、漏れ、溶接部検査、などについて検査することができる。ターボ機械１８などの機械的なシステムは、運転状態中に機械的応力および熱的応力が加わり、これにより、ある種の構成部品の定期的な検査が必要となることがある。ターボ機械１８の運転中には、天然ガスまたは合成ガスなどの燃料を、ターボ機械１８に送り、１つまたは複数の燃料ノズル３２を通して燃焼器３６中へ入れることができる。空気は、空気取入れ部３８を通ってターボ機械１８に入ることができ、圧縮機３４によって圧縮されてもよい。圧縮機３４は、空気を圧縮する一連のステージ４０、４２、および４４を含むことができる。各ステージは、静止翼４６およびブレード４８の１つまたは複数のセットを含むことができ、ブレード４８は、圧縮空気を提供するために圧力を漸進的に増加させるように回転する。ブレード４８を、シャフト５２に接続された回転ホイール５０に取り付けることができる。圧縮機３４からの圧縮された放出空気は、ディフューザ部５６を通って圧縮機３４を出ることができ、燃焼器３６へと導いて、燃料と混合することができる。例えば、燃料ノズル３２は、最適な燃焼、排気、燃料消費、およびパワー出力に適した比率で燃焼器３６へと燃料−空気混合物を注入することができる。ある種の実施形態では、ターボ機械１８は、環状配列に配置された複数の燃焼器３６を含むことができる。各燃焼器３６は、タービン５４の中へと高温燃焼ガスを導くことができる。
【００２７】
描いたように、タービン５４は、ケーシング７６によって囲まれた３つの別々のステージ６０、６２、および６４を含む。各ステージ６０、６２、および６４は、シャフト７４に取り付けられたそれぞれのロータホイール６８、７０、および７２に連結されたブレードまたはバケット６６のセットを含む。高温燃焼ガスが、タービンブレード６６を回転させるので、シャフト７４は、圧縮機３４および、発電機などの他の適切な負荷を駆動するように回転する。最終的に、ターボ機械１８は、排気部８０を通して燃焼ガスを放散し、排気する。ノズル３２、取入れ部３８、圧縮機３４、翼３４、ブレード４８、ホイール５０、シャフト５２、ディフューザ５６、ステージ６０、６２、および６４、ブレード６６、シャフト７４、ケーシング７６、ならびに排気部８０などのタービン構成部品は、前記構成部品を検査しかつ整備するために、ＮＤＴ検査デバイス１２などの開示した実施形態を使用することができる。
【００２８】
加えてまたは代わりに、ＰＴＺカメラ１６を、ターボ機械１８の周囲または内側の様々な場所に配置することができ、これらの場所の目視観察結果を入手するために使用することができる。ＰＴＺカメラ１６は、所望の場所を照明するのに適した１つまたは複数の光源をさらに含むことができ、多様な届きにくい領域の周囲の観察結果を引き出すために有用であり、図４に関して下記により詳細に説明するズーム、パンおよびチルトの技術をさらに含むことができる。ボアスコープ１４および／またはカメラ１６を、石油およびガス施設２０などの施設２０を検査するためにさらに使用することができる。ボアスコープ１４および／またはＰＴＺカメラ１６を使用することによって、石油およびガス設備８４などの様々な設備を目視検査することができる。有利なことには、ボアスコープ１４および／またはＰＴＺカメラ１６を介してモバイルデバイス２２を使用することによって、パイプまたはコンジット８６の内部、水面下の（または流体中の）場所８８、湾曲部または屈曲部９０を有する場所などの観察することが難しい場所、などの場所を目視検査することができる。したがって、モバイルデバイス操作員２８は、設備１８、８４ならびに場所８６、８８および９０をより安全にかつ効率的に検査することができ、検査領域から地理的に離れた場所でリアルタイムまたはほぼリアルタイムで観察結果を共有することができる。ファイバスコープ（例えば、関節式（ａｒｔｉｃｕｌａｔｉｎｇ）ファイバスコープ、非関節式ファイバスコープ）、ならびにロボットパイプ検査装置およびロボットクローラを含む遠隔操縦車両（ＲＯＶ：ｒｅｍｏｔｅｌｙ  ｏｐｅｒａｔｅｄ  ｖｅｈｉｃｌｅ）などの他のＮＤＴ検査デバイス１２を、本明細書で説明する実施形態において使用することができることを、理解されたい。
【００２９】
ここで図２に転じて、図は、目視検査データに対して代わりの検査データを提供することが可能であるＮＤＴ検査デバイス１２の第２のカテゴリを描く分散型ＮＤＴシステム１０の実施形態のブロック図である。例えば、ＮＤＴ検査デバイス１２の第２のカテゴリは、渦電流検査デバイス９２、超音波探傷器９４などの超音波検査デバイス、およびディジタルラジオグラフィデバイス９６などのＸ線検査デバイスを含むことができる。渦電流検査デバイス９２は、１つまたは複数のプロセッサ９３およびメモリ９５を含むことができる。同じように、超音波探傷器９４は、１つまたは複数のプロセッサ９７およびメモリ９９を含むことができる。同様に、ディジタルラジオグラフィデバイス９６は、１つまたは複数のプロセッサ１０１およびメモリ１０３を含むことができる。動作では、渦電流検査デバイス９２を、渦電流操作員９８によって操作することができ、超音波探傷器９４を、超音波デバイス操作員１００によって操作することができ、ディジタルラジオグラフィデバイス９６を、ラジオグラフィ操作員１０２によって操作することができる。
【００３０】
描いたように、図１に関して上に述べたコンジットを含む有線コンジットまたはワイアレスコンジットを使用することによって、渦電流検査デバイス９２、超音波探傷器９４、およびディジタルラジオグラフィ検査デバイス９６を、モバイルデバイス２２に通信可能に結合することができる。加えてまたは代わりに、クラウド２４を使用することによって、デバイス９２、９４、および９６をモバイルデバイス２２に結合することができ、例えば、ボアスコープ１４をセルラ「ホットスポット」に接続することができ、ボアスコープの検査および解析の１人または複数の専門家に接続するためにホットスポットを使用することができる。したがって、モバイルデバイス操作員２８は、モバイルデバイス２２を使用することによってデバイス９２、９４、および９６の操作の様々な態様を遠隔制御することができ、より詳細に本明細書において説明するように、音声（例えば、ボイスオーバーＩＰ［ＶＯＩＰ］）、データの共有（例えば、ホワイトボーディング）、データの解析、専門家のサポート、などを介して操作員９８、１００、および１０２と協働することができる。
【００３１】
したがって、Ｘ線観察モダリティ、超音波観察モダリティ、および／または渦電流観察モダリティを用いて、航空機システム１０４および施設１０６などの様々な設備の目視観察を強化することが可能である。例えば、パイプ１０８の内部および壁を、腐食および／または溶食について検査することができる。同じように、パイプ１０８の内側の閉塞または望ましくない成長物を、デバイス９２、９４、および／または９６を使用することによって検出することができる。同様に、ある種の鉄材または非鉄材１１２の内側に配された裂け目またはクラック１１０を観察することができる。加えて、構成部品１１６の内側に挿入された部品１１４の配置および実行可能性を検証することができる。実際に、本明細書において説明する技術を使用することによって、設備ならびに構成部品１０４、１０８、１１２、および１１６の検査を改善することができる。例えば、デバイス１４、１６、９２、９４、および９６とインターフェースで接続し、これらを遠隔制御するために、モバイルデバイス２２を使用することができる。
【００３２】
図３は、モバイルデバイス２２およびクラウド２４に結合されたボアスコープ１４の前面図である。したがって、ボアスコープ１４は、クラウド２４に接続されたまたはクラウド２４の内側の任意の数のデバイスにデータを提供することができる。上に述べたように、ボアスコープ１４からデータを受信するため、ボアスコープ１４を遠隔制御するため、またはこれらを組み合わせて行うために、モバイルデバイス２２を使用することができる。実際に、本明細書において説明する技術は、例えば、ボアスコープ１４からモバイルデバイス２２への、画像、ビデオ、ならびに温度、圧力、流量、クリアランス（例えば、静止構成部品と回転構成部品との間の測定値）、および距離測定値などのセンサ測定値を含むがこれらに限定されない多様なデータの通信を可能にする。同じように、モバイルデバイス２２は、下記により詳細に説明するように、制御命令、再プログラミング命令、構成命令、などを通信することができる。
【００３３】
描いたように、ボアスコープ１４は、ターボ機械１８、設備８４、パイプまたはコンジット８６、水面下の場所８８、湾曲部または屈曲部９０、航空機システム１０４の内側または外側の様々な場所、パイプ１０８の内部、などの多様な場所の中へと挿入するのに適した挿入チューブ１１８を含む。挿入チューブ１１８は、ヘッドエンド部１２０、関節部１２２、およびコンジット部１２４を含むことができる。描いた実施形態では、ヘッドエンド部１２０は、カメラ１２６、１つまたは複数の光源１２８（例えば、ＬＥＤ）、およびセンサ１３０を含むことができる。上に述べたように、ボアスコープのカメラ１２６は、検査に適した画像およびビデオを提供することができる。ヘッドエンド１２０が明りの少ないまたは明りのない場所に配置されたときに、照明を提供するために、光源１２８を使用することができる。
【００３４】
使用中には、例えば、モバイルデバイス２２および／またはボアスコープ１４上に配置された物理ジョイスティック１３１によって、関節部１２２を制御することができる。関節部１２２は、様々な程度に向くまたは「曲がる」ことができる。例えば、関節部１２２は、描いたＸＹＺ軸１３３のＸ−Ｙ平面、Ｘ−Ｚ平面および／またはＹ−Ｚ平面内でヘッドエンド１２０を可動にすることができる。実際に、描いた角度αなどの、多様な角度でヘッドエンド１２０を配置するのに適した制御行為を行うために、物理ジョイスティック１３１および／またはモバイルデバイス２２を、両者とも単独でまたは組み合わせて使用することができる。このようにして、所望の場所を目視検査するために、ボアスコープヘッドエンド１２０を設置することができる。カメラ１２６は、次に、例えば、ビデオ１３４を取り込むことができ、ビデオ１３４は、ボアスコープ１４のスクリーン１３５およびモバイルデバイス２２のスクリーン１３７に表示することができ、ボアスコープ１４および／またはモバイルデバイス２２によって記録することができる。一実施形態では、スタイラスおよび／または人間の１つまたは複数の指の接触を検出するために、スクリーン１３５および１３７を、容量技術、抵抗技術、赤外線格子技術、などを使用するマルチタッチスクリーンとすることができる。加えてまたは代わりに、画像およびビデオ１３４を、クラウド２４へと送信することができる。
【００３５】
センサ１３０のデータを含むがこれに限定されない他のデータを、ボアスコープ１４によってさらに通信するおよび／または記録することができる。センサ１３０のデータは、温度データ、距離データ、クリアランスデータ（例えば、回転構成部品と静止構成部品との間の距離）、流量データ、などを含むことができる。ある種の実施形態では、ボアスコープ１４は、複数の交換チップ１３６を含むことができる。例えば、交換チップ１３６は、スネア、磁気チップ、グリッパチップ、などの補充チップ（ｒｅｔｒｉｅｖａｌ  ｔｉｐ）を含むことができる。交換チップ１３６は、ワイアブラシ、ワイアカッタ、などのクリーニングツールおよび閉塞除去ツールをさらに含むことができる。チップ１３６は、焦点距離、ステレオビュー、３次元（３Ｄ）位相ビュー、シャドービュー、などの様々な光学的特性を有するチップをさらに含むことができる。加えてまたは代わりに、ヘッドエンド１２０は、脱着可能であり交換可能なヘッドエンド１２０を含むことができる。したがって、複数のヘッドエンド１２０を、多様な直径で用意することができ、挿入チューブ１１８を、ほぼ１ミリメートルから１０ミリメートル以上までの開口部を有する多数の場所に配置することができる。実際に、多種多様な設備および施設を検査することができ、データを、モバイルデバイス２２および／またはクラウド２４を介して共有することができる。
【００３６】
図４は、モバイルデバイス２２およびクラウド２４に通信可能に結合された搬送可能なＰＴＺカメラ１６の実施形態の斜視図である。上に述べたように、モバイルデバイス２２および／またはクラウド２４は、所望の設備および場所を見るようにＰＴＺカメラ１６を設置するために、ＰＴＺカメラ１６を遠隔操作することができる。描いた例では、ＰＴＺカメラ１６を、Ｙ軸の周りで傾け、回転させることができる。例えば、ＰＴＺカメラ１６を、Ｙ軸の周りでほぼ０°から１８０°までの間、０°から２７０°までの間、０°から３６０°までの間、またはそれ以上の角度βで回転させることができる。同じように、ＰＴＺカメラ１６を、例えば、Ｙ軸に対して、ほぼ０°から１００°まで、０°から１２０°まで、０°から１５０°まで、またはそれ以上の角度γでＸ−Ｙ平面に関して傾けることができる。光源１３８を、例えば、点灯するまたは消灯するために、および所望の値まで照明のレベル（例えば、ルクス）を増加させるまたは減少させるために同様に制御することができる。ある種の対象物までの距離を測定するのに適した、レーザ距離計などのセンサ１４０を、ＰＴＺカメラ１６上にやはり搭載することができる。広範囲温度センサ（例えば、赤外線温度センサ）、圧力センサ、流量センサ、クリアランスセンサ、などを含む他のセンサ１４０を使用することができる。
【００３７】
ＰＴＺカメラ１６を、例えば、シャフト１４２を使用することによって、所望の場所まで搬送することができる。シャフト１４２は、カメラ操作員３０が、カメラを移動し、例えば、場所８６、１０８の内側、水面下８８、危険な（例えば、危険物）場所の中、などにカメラを設置することを可能にする。加えて、恒久的なまたは半恒久的な取付け台上へとシャフト１４２を載置することによってＰＴＺカメラ１６をより恒久的に固定するために、シャフト１４２を使用することができる。このようにして、ＰＴＺカメラ１６を所望の場所に搬送するおよび／または固定することができる。ＰＴＺカメラ１６は、次に、例えば、ワイアレス技術を使用することによって、画像データ、ビデオデータ、センサ１４０のデータ、などをモバイルデバイス２２および／またはクラウド２４へ送信することができる。したがって、所望の設備および施設に関する運転の条件および適合性を判断するために、ＰＴＺカメラ１６から受信したデータを遠くで解析し、使用することができる。実際に、本明細書において説明する技術は、図５に関して下記により詳細に説明するように、前述のデバイス１２、１４、１６、２２、９２、９４、９６、およびクラウド２４を使用することによって、多様なデータの計画を立てること、多様なデータを検査すること、解析すること、および／または共有することに適した包括的な検査および整備プロセスを提供することができる。
【００３８】
図５は、前述のデバイス１２、１４、１６、２２、９２、９４、９６、およびクラウド２４を使用することによって、多様なデータの計画を立てること、多様なデータを検査すること、解析すること、および／または共有することに適したプロセス１５０の実施形態のフローチャートである。実際に、本明細書において説明する技術は、描いたプロセス１５０などのプロセスが、多様な設備をより効率的にサポートしかつ整備することを可能にするために、デバイス１２、１４、１６、２２、９２、９４、９６を使用することができる。ある種の実施形態では、プロセス１５０またはプロセス１５０の部分を、メモリ１５、１９、２３、９３、９７、１０１などのメモリに記憶され、かつプロセッサ１７、２１、２５、９５、９９、１０３などの１つまたは複数のプロセッサによって実行可能な非一時的コンピュータ可読媒体に含むことができる。
【００３９】
一例では、プロセス１５０は検査および整備作業の計画を立てることができる（ブロック１５２）。整備および検査作業、機械に関するより効率的な検査計画、より詳細な検査のためにある領域にフラッグを立てること、などの計画を立てる（ブロック１５２）ために、デバイス１２、１４、１６、２２、９２、９４、９６を使用することによって取得したデータ、ならびにターボ機械１８の集団、設備ユーザ（例えば、航空機１０４のサービス会社）、および／または設備製造者から取得されるデータの集団などの他のデータを使用することができる。プロセス１５０は、次に、所望の施設または設備（例えば、ターボ機械１８）の単一モード検査またはマルチモーダル検査（ブロック１５４）の使用を可能にすることができる。上に述べたように、検査（ブロック１５４）は、ＮＤＴ検査デバイス１２（例えば、ボアスコープ１４、ＰＴＺカメラ１６、渦電流検査デバイス９２、超音波探傷器９４、ディジタルラジオグラフィデバイス９６）のうちの任意の１つまたは複数を使用することができ、したがって、１つまたは複数のモードの検査（例えば、目視、超音波、渦電流、Ｘ線）を提供することができる。描いた実施形態では、とりわけ、ＮＤＴ検査デバイス１２を遠隔制御するために、ＮＤＴ検査デバイス１２によって伝達されたデータを解析するために、本明細書においてより詳細に説明するようなＮＤＴ検査デバイス１２に含まれていない機能を追加するために、ＮＤＴ検査デバイス１２からのデータを記録するために、および例えば、メニュー方式の検査（ＭＤＩ：ｍｅｎｕ−ｄｒｉｖｅｎ  ｉｎｓｐｅｃｔｉｏｎ）技術を使用することによって検査（ブロック１５４）を進めるために、モバイルデバイス２２を使用することができる。
【００４０】
次に、例えば、ＮＤＴデバイス１２を使用することによって、クラウド２４へ検査データを送信することによって、モバイルデバイス２２を使用することによって、またはこれらを組み合わせて行うことによって、検査（ブロック１５４）の結果を解析することができる（ブロック１５６）。解析は、施設および／または設備についての残存寿命、摩耗および断裂、腐食、溶食、などを判断する際に有用なエンジニアリング解析を含むことができる。解析は、より効率的な部品交換計画、整備計画、設備利用計画、要員使用計画、新たな検査計画、などを提供するために使用するオペレーションズリサーチ（ＯＲ：ｏｐｅｒａｔｉｏｎｓ  ｒｅｓｅａｒｃｈ）解析をさらに含むことができる。解析（ブロック１５６）を、次に報告することができ（ブロック１５８）、クラウド２４においてまたはクラウド２４を使用することによって作成される報告書を含み、実行した検査および解析ならびに得られた結果を詳細に述べる１つまたは複数の報告書１５９を結果として得ることができる。次に、例えば、クラウド２４、モバイルデバイス２２、およびワークフロー共有技術などの他の技術を使用することによって、報告書１５９を共有することができる（ブロック１６０）。一実施形態では、プロセス１５０を対話型とすることができ、したがって、プロセス１５０は、報告書１５９を共有した（ブロック１６０）後で、計画を立てること（ブロック１５２）に繰り返し戻ることができる。計画を立てるため、検査するため、解析するため、報告するため、およびデータを共有するために本明細書において説明したデバイス（例えば、１２、１４、１６、２２、９２、９４、９６）を使用する際に有用な実施形態を提供することによって、本明細書において説明した技術は、施設２０、１０６および設備１８、１０４のより効率的な検査および整備を可能にすることができる。実際に、図６に関して下記により詳細に説明するように、複数のカテゴリのデータを転送することができる。
【００４１】
図６は、ＮＤＴ検査デバイス１２（例えば、デバイス１４、１６、９２、９４、９６）から発せられ、モバイルデバイス２２および／またはクラウド２４へ送信される様々なデータカテゴリの流れの実施形態を描くデータフロー図である。上に述べたように、ＮＤＴ検査デバイス１２は、データを送信するためにワイアレスコンジット１６２を使用することができる。一実施形態では、ワイアレスコンジット１６２は、ＷｉＦｉ（例えば、８０２．１１Ｘ）、セルラコンジット（例えば、ＨＳＰＡ、ＨＳＰＡ＋、ＬＴＥ、ＷｉＭａｘ）、ＮＦＣ、ブルートゥース、ＰＡＮ、などを含むことができる。ワイアレスコンジット１６２は、ＴＣＰ／ＩＰ、ＵＤＰ、ＳＣＴＰ、ソケットレイヤ、などの多様な通信プロトコルを使用することができる。ある種の実施形態では、ワイアレスコンジット１６２は、ＳＳＬ、ＶＰＮレイヤ、暗号レイヤ、チャレンジ鍵認証レイヤ、トークン認証レイヤ、などの安全なレイヤを含むことができる。したがって、ペアリングするのに適した任意の数の認可情報もしくはログイン情報を提供するために、またはそれ以外では、モバイルデバイス２２および／またはクラウド２４に対してＮＤＴ検査デバイス１２を認証するために、認可データ１６４を使用することができる。加えて、ワイアレスコンジット１６２は、例えば、現在利用可能な帯域幅および待機時間に応じて、データを動的に圧縮することができる。モバイルデバイス２２は、次に圧縮を解除し、データを表示することができる。圧縮／圧縮解除技術は、Ｈ．２６１、Ｈ．２６３、Ｈ．２６４、動画エキスパートグループ（ＭＰＥＧ）、ＭＰＥＧ−１、ＭＰＥＧ−２、ＭＰＥＧ−３、ＭＰＥＧ−４、ＤｉｖＸ、などを含むことができる。
【００４２】
ある種のモダリティ（例えば、目視モダリティ）では、ＮＤＴ検査デバイス１２のうちのある種のものを使用することによって、画像およびビデオを通信することができる。他のモダリティは、それぞれのスクリーンに関係するまたは含まれるビデオ、センサデータ、などをやはり送ることができる。ＮＤＴ検査デバイス１２は、画像を取り込むことに加えて、画像上へとある種のデータをオーバーレイすることができ、より多くの情報を与えるビューをもたらす。例えば、ボアスコープチップマップを、ビデオ上にオーバーレイすることができ、ボアスコープカメラ１２６をより正確に設置するように操作員２６を案内するために、挿入中にボアスコープチップの配置の近さを示す。オーバーレイチップマップは、４つの象限を有する格子を含むことができ、チップ１３６の配置を、４つの象限の内側の任意の部分または位置にドットとして表示することができる。下記により詳細に説明するように、測定オーバーレイ、メニューオーバーレイ、注釈オーバーレイ、および対象物識別オーバーレイを含む多様なオーバーレイを、提供することができる。次に、画像およびビデオデータ上に全体的に表示したオーバーレイを用いて、画像およびビデオ１３４などのビデオデータを表示することができる。
【００４３】
一実施形態では、オーバーレイ、画像、およびビデオデータを、スクリーン１３５から「スクリーンスクレイピングする（ｓｃｒｅｅｎ  ｓｃｒａｐｅ）」ことができ、スクリーンスクレイピングデータ１６６として通信することができる。スクリーンスクレイピングデータ１６６を、次に、モバイルデバイス２２およびクラウド２４に通信可能に結合された他の表示デバイス上に表示することができる。有利なことに、スクリーンスクレイピングデータ１６６を、より簡単に表示することができる。実際に、ピクセルが同じフレーム内に画像またはビデオとオーバーレイとの両方を含むことができるために、モバイルデバイス２２は、前述のピクセルを単純に表示することができる。しかしながら、スクリーンスクレイピングデータを提供することにより、オーバーレイと２つの画像とをマージすることができ、２つの（または２つ以上の）データストリームに分けることに有用である。例えば、別々のデータストリーム（例えば、画像ストリームまたはビデオストリーム、オーバーレイストリーム）をほぼ同時に送信することができ、したがって、より速いデータ通信を提供することができる。加えて、データストリームを別々に解析することができ、したがって、データの検査および解析を改善することができる。
【００４４】
したがって、一実施形態では、画像データおよびオーバーレイを、２つ以上のデータストリーム１６８および１７０に分けることができる。データストリーム１６８は、オーバーレイだけを含むことができ、一方で、データストリーム１７０は、画像またはビデオを含むことができる。一実施形態では、同期信号１７２を使用することによって、画像またはビデオ１７０をオーバーレイ１６８と同期させることができる。例えば、同期信号は、データストリーム１７０のフレームをオーバーレイストリーム１６８に含まれた１つまたは複数のデータ項目と一致させるのに適したタイミングデータを含むことができる。さらに別の一実施形態では、同期信号１７２のデータを使用しなくてもよい。代わりに、各フレームまたは画像１７０は、固有のＩＤを含むことができ、この固有のＩＤは、オーバーレイデータ１６８のうちの１つまたは複数に一致させることができ、オーバーレイデータ１６８および画像データ１７０を一緒に表示するために使用することができる。
【００４５】
オーバーレイデータ１６８は、チップマップオーバーレイを含むことができる。例えば、４つの四角形を有する格子（例えば、象限格子）を、チップ１３６の位置を表すドットまたは円とともに表示することができる。したがって、このチップマップは、チップ１３６が対象物の内側にどのようにして挿入されるかを表すことができる。第１象限（右上）は、対象物の中へと、軸方向に下を見て右上角へと挿入されるチップ１３６を表すことができ、第２象限（左上）は、軸方向に下を見て左上角へと挿入されるチップ１３６を表すことができ、第３象限（左下）は、左下角へと挿入されるチップ１３６を表すことができ、第４象限（右下）は、右下角へと挿入されるチップ１３６を表すことができる。したがって、ボアスコープ操作員２６は、チップ１３６の挿入をより簡単に案内することができる。
【００４６】
オーバーレイデータ１６８は、測定オーバーレイをやはり含むことができる。例えば、ユーザが画像上に１つまたは複数のカーソル十字（例えば、「＋」）をオーバーレイすることを可能にすることによって、長さ、点と線との間、深さ、面積、マルチセグメント線、距離、スキュー、および円形ゲージなどの測定値を提供することができる。一実施形態では、ステレオ測定を含む、および／または対象物上へと影を投影することによることによる、対象物の内側を測定するのに適したステレオプローブ測定チップ１３６、またはシャドープローブ測定チップ１３６を提供することができる。画像全体にわたり複数のカーソルアイコン（例えば、カーソル十字）を置くことによって、ステレオ技術を使用して、測定値を導き出すことができる。例えば、２つのカーソルアイコンを置くことで、直線的な点間の測定値（例えば、長さ）を与えることができる。３つのカーソルアイコンを置くことで、点から線までの（例えば、点と線との間の）垂直な距離を与えることができる。４つのカーソルアイコンを置くことで、（３つのカーソルを使用することによって導き出される）表面とこの表面の上方または下方の点（第４のカーソル）との間の垂直な距離（例えば、深さ）を与えることができる。ある特徴点または欠陥の周りに３つ以上のカーソルアイコンを置くことで、カーソルの内側に含まれる表面のおおよその面積を与えることができる。３つ以上のカーソルを置くことで、各カーソルに続くマルチセグメント線の長さをやはり使用可能にすることができる。
【００４７】
同じように、影を投影することによって、照明および得られた影に基づいて、測定値を導き出すことができる。したがって、測定領域全体にわたり影を設け、次に、所望の測定値の最も遠い点で、できるだけ影の近くに２つのカーソルを置くことで、点間の距離を結果として導き出すことができる。測定領域全体にわたって影を置き、次に、水平な影のほぼ中心の所望の測定領域の端（例えば、照明端）にカーソルを置くことで、結果としてスキュー測定値をもたらすことができ、スキュー測定値は、それ以外の場合では、プローブ１４のビューに垂直でない表面上の直線の（点間の）測定値として規定される。垂直な影を得ることができないときには、これは有用であり得る。
【００４８】
同様に、測定領域全体にわたり影を設け、次に１つのカーソルを盛り上がった表面上に、第２のカーソルを窪んだ表面上に置くことで、深さ、または表面とこの表面の上方または下方の点との間の距離を結果として導き出すことができる。測定領域の近くに影を設け、次に、影の近くで欠陥の上方に円（例えば、ユーザが選択可能な直径の円形カーソル、円ゲージとも呼ばれる）を置くことで、欠陥のおおよその直径、円周、および／または面積を導き出すことができる。
【００４９】
オーバーレイデータ１６８はまた、注釈データを含むことができる。例えば、テキストおよびグラフィックス（例えば、矢印ポインタ、十字、幾何学的形状）を、「表面クラック」などのある種の特徴に注釈を付けるために画像上にオーバーレイすることができる。加えて、オーディオを、ＮＤＴ検査デバイス１２によって取り込むことができ、オーディオオーバーレイとして提供することができる。例えば、音声注釈、検査を受けている設備の音、などを、オーディオとして画像またはビデオ上にオーバーレイすることができる。モバイルデバイス２２および／またはクラウド２４によって受信されたオーバーレイデータ１６８を、次に多様な技術によって表現することができる。例えば、ＨＴＭＬ５または他のマークアップ言語を、オーバーレイデータ１６８を表示するために使用することができる。一実施形態では、モバイルデバイス２２および／またはクラウド２４は、ＮＤＴデバイス１２によって提供される第２のユーザインターフェースとは異なる第１のユーザインターフェースを提供することができる。したがって、オーバーレイデータ１６８は、単純化することができ、基本的な情報だけを送ることができる。例えば、チップマップのケースでは、オーバーレイデータ１６８は、チップの場所に相関するＸおよびＹのデータを単純に含むことができ、第１のユーザインターフェースは、次に、格子上にチップを視覚的に表示するためにＸおよびＹのデータを使用することができる。
【００５０】
加えて、センサデータ１７４を、通信することができる。例えば、センサ１２６、１４０からのデータ、およびＸ線センサデータ、渦電流センサデータ、などを通信することができる。ある種の実施形態では、センサデータ１７４を、オーバーレイデータ１６８と同期させることができ、例えば、オーバーレイチップマップを、温度情報、圧力情報、流量情報、クリアランス、などと並べて表示することができる。同じように、センサデータ１７４を、画像データまたはビデオデータ１７０と並べて表示することができる。
【００５１】
ある種の実施形態では、力フィードバックデータまたはハプティックフィードバックデータ１７６を通信することができる。力フィードバックデータ１７６は、例えば、構造に対して当たるまたは接触するボアスコープ１４のチップ１３６に関係するデータ、チップ１３６または振動センサ１２６によって感知された振動、流れに関係する力、温度、クリアランス、圧力、などを含むことができる。モバイルデバイス２２は、例えば、力フィードバックデータ１７６に基づき、流体圧力を変えることができおよび／またはこれに応じて流体の向きを変えることができる、流体を満たしたマイクロチャネルを有する触覚層を含むことができる。実際に、本明細書において説明した技術は、触覚力としてセンサデータ１７４およびコンジット１６２内の他のデータを表すのに適した、モバイルデバイス２２によって作動される応答を提供することができる。
【００５２】
ＮＤＴデバイス１２は、位置データ１７８をさらに通信することができる。例えば、位置データ１７８は、設備１８、１０４および／または施設２０、１０６との関係でＮＤＴデバイス１２の場所を含むことができる。例えば、インドアＧＰＳ、ＲＦＩＤ、三角測量（例えば、ＷｉＦｉ三角測量、無線三角測量）などの技術を、デバイス１２の位置１７８を決定するために使用することができる。オブジェクトデータ１８０は、検査中の対象物に関係するデータを含むことができる。例えば、オブジェクトデータ１８０は、識別情報（例えば、シリアル番号）、設備状態についての観察結果、注釈（テキスト注釈、音声注釈）、などを含むことができる。使用したときに、テキスト注釈およびメタデータとして適用することが可能な所定の「タグ」のセットを提供するメニュー方式の検査データを含むがこれに限定されない他のタイプのデータ１８２を使用することができる。これらのタグは、位置情報（例えば、第１のステージのＨＰ圧縮機）または検査を受けている対象物に関係する表示（例えば、異物損傷）を含むことができる。他のデータ１８２は、リモートファイルシステムデータをさらに含むことができ、そこでは、モバイルデバイス２２が、ＮＤＴ検査デバイス１２のメモリ２５内に設置されたデータのファイルおよびファイル構成（例えば、フォルダ、サブフォルダ）を見ることができ、操作することができる。したがって、ファイルを、モバイルデバイス２２およびクラウド２４に転送し、編集し、メモリ２５へと転送して戻すことができる。データ１６４〜１８２をモバイルデバイス２２およびクラウド２４へ通信することによって、本明細書において説明した技術は、より速くより効率的なプロセス１５０を可能にすることができる。
ステップベースの参考資料提供
前に論じたように、検査の進行に基づいて補足データを提供することは有利であり得る。補足データは、適正な検査を支援することができる。例えば、いくつかの実施形態では、補足データは、検査（例えば、ボアスコープ、超音波、など）に使用する検査設備の製造者によって提供される参考情報を含むことができる。さらに、参考情報を、検査される対象物（例えば、タービンまたは航空機）の製造者から提供することができる。いくつかの実施形態では、過去の検査データまたは以前の検査に関するデータを、補足データとして提供することができる。
【００５３】
図７は、ある実施形態による、検査中に参考情報を提供するためのプロセス２９０を図示するフローチャートである。プロセス２９０は、データサービスプロバイダへの検査ステップアイデンティフィケーションを入手し、かつ提供することによって始める（ブロック２９２）。例えば、ひとまとまりの検査設備は、現在実行されている検査の特定のステップを決定することができる。本明細書において使用するように、検査設備という用語は、検査プロセス中に検査データを観察するためおよび／または収集するために使用されるデバイスを意味し、ＰＴＺカメラ、Ｘ線デバイス、渦電流デバイス、などのＮＤＴデバイス１２を含む検査ツールを含むことができる。さらに、検査設備という用語は、検査員へ関連の補足データを提供すること、ならびに／または検査ツールから得られるデータを記録することおよび／もしくは記憶すること、などの検査に関係するタスクに関する機械可読命令を実行するコンピュータまたは他のデータプロセッサを含むことができる。補足データが検査に関係するデータを含むことができるとはいえ、補足データは、このようなデータに限定されない。補足データは、検査に関連する任意のデータを含むことができる。例えば、入力の油圧および／または温度は、航空機検査中に見つけられたクラックの発生源を決定する際に役立ち、したがって、この情報は検査に関連するので、補足データに含むことができる。
【００５４】
検査は、多数のステップを含むことができる。検査する前に、検査すべき対象物、検査すべき対象物のいずれかの特定の部分、検査のタイプ、検査中に使用すべき設備、いずれかの必要なまたは有用なプローブ、検査員に必要なまたは役立つ訓練および／または認可、などの検査の詳細を識別する導入ステップ（例えば、ステップ０）があり得る。特定のステップ（例えば、検査の第１の実際のステップ）の前に、間に、または完了時に、補足データは、役立つことがある。例えば、命令補佐は、検査ツールを使用してデータを入手するための適正な技術を説明することができる。
【００５５】
検査の現在のステップは、検査設備へのユーザ入力を介して決定することができ、ならびに／または検査設備に提供された論理および／もしくは検査設備に提供されたデータに基づいて自動的に入手することができる。例えば、検査設備は、検査のためのステップごとの命令、注釈、などを提供するメニュー方式の検査（ＭＤＩ）を含むことができる。ステップがＭＤＩプロセス中に完了するので、検査設備は、検査プロセス内の次のステップを決定することができる。代替実施形態では、ユーザ入力、検査設備の位置および／もしくは場所、時間ベースの検査スケジュール、または検査ステップを識別するあらゆる他の方式に基づいて、検査ステップを決定することができる。
【００５６】
一旦、検査ステップが決定されると、検査ステップに関連する補足データを入手することができる（ブロック２９４）。例えば、補足データは、検査される対象物に関係するデータ、検査設備に関係するデータ、および／または過去の検査データを含むことができる。さらに、補足データは、検査環境に対して遠くのまたはローカルないずれかの任意の供給源から提供される事前処理データを含むことができる。この補足データを、例えば、検査ステップを完了しようとしている検査員を教育するため、検査ステップ中に取り込まれたデータの追加解析を行うため、警告を与えるため、などに使用することができる。いくつかの実施形態では、補足データを含むデータリポジトリを、決定した現在のステップの識別子に基づいてポーリングすることができる。さらに、ある種の実施形態では、温度センサ、圧力センサ、動きセンサ、などのセンサは、検査に関連する補足データを提供することができ、したがって、補足データに含むことができる。
【００５７】
一旦、補足データを入手すると、データを提示することができる（ブロック２９６）。いくつかの実施形態では、補足データを、任意の数のヒューマンマシンインターフェースを介して提供することができる。例えば、補足データに関係付けられた画像および／またはテキストを、電子ディスプレイを介して表示することができる。オーディオを、スピーカを介して聞こえるように提供することができる。さらに、ビデオデータを、ディスプレイおよび／またはスピーカを介して再生することができる。さらに、ハプティック技術は、補足データを表す触覚を提供することができる。
【００５８】
いくつかの実施形態では、データを、さらに処理するために１つまたは複数のプロセッサに提示することができる。例えば、一実施形態では、補足データは、前の検査中に集められた過去の画像を含むことができる。これらの過去の画像を、過去の画像から、現在収集した検査データへのクラックの進行を測定するアルゴリズムを走らせるプロセッサに提示することができる。このアルゴリズムは、例えば、アセットの残存する有効寿命を決定することができる。したがって、認識できるように、操作員による利用のため、および／またはさらなる処理のために補足データを提示することで、検査をより正確に行うことを可能にすることができ、ならびに／または検査ステップの正確な完了および／もしくはこれらの検査ステップ中に入手したデータの解析を支援することができる、ステップに特有の補足データを提供することによって、検査をより詳細に理解することができる。
【００５９】
図８は、ある実施形態による、ステップに特有の補足データを提供する検査システム３００の模式図である。図示したように、１つまたは複数のまとまりの検査設備（例えば、「検査設備１」３０２および「検査設備２」３０４）を、通信接続矢印３０６によって図示したように、通信可能に結合することができる。例えば、検査設備を、イーサネット（登録商標）ネットワーク、ブルートゥースネットワーク、またはＷＩＦＩネットワークなどの有線またはワイアレスの通信ネットワークを介して接続することができる。
【００６０】
１つまたは複数のまとまりの検査設備を、接続した検査設備に対する検査ステップに関連する関連データを提供することが可能なデータプロバイダサービス３０８に通信可能に結合することができる。例えば、現在の例では、例えば、コンピュータであり得る「検査設備２」３０４は、データ接続矢印３１２によって図示したように、クラウドベースのデータプロバイダ３１０に通信可能に結合される。
【００６１】
データプロバイダサービス３０８は、検査される対象物に関係する検査関連のデータ（例えば、オブジェクトデータ３１０’）、検査設備（例えば、「検査設備１」３０２または「検査設備２」３０４）に関係する検査設備データ、および／または検査中に収集した以前のデータに関係する過去の検査データ３１４のためのリポジトリを含むことができる。さらに、データプロバイダサービス３０８は、例えば、訓練情報、参考情報、などを提供することができる外部データリポジトリ（例えば、データリポジトリ３１６）から検査に関連するデータを検索することができる。
【００６２】
上に述べたように、対象物の検査は、極めて複雑なことがあり、多数のステップを有する。例えば、検査プロセス３２０は、（ステップ０、ステップ１、ステップ２、およびステップ３によって示したように）複数のステップ３２２を有する。ステップ１〜ステップ３を、１つまたは複数のまとまりの検査設備で実行可能なディジタル化したアプリケーションによって提供することができる。検査プロセス３２０のステップ０は、現在の検査（例えば、検査のタイプ、検査すべき対象物、など）を識別するステップを表すことができる。検査プロセスの現在のステップに基づいて補足検査データを提供することは、役に立つことがある。これを行うために、検査設備は、実施されたまたは現在実施されている現在の検査ステップを判別することができる。検査機器は、データプロバイダサービス３０８へ、判別ステップについての識別子３２２を提供することができ、データプロバイダサービス３０８では、識別子３２２に関連する補足データ３２４を、検査設備から入手することができ、これに提供することができる。検査設備は、次に、検査設備の表示デバイス（例えば、ディスプレイ３２６）上に補足データ３２４の少なくとも一部をフォーマットしかつ提示することができ、したがって、検査プロセス３２０の特定のステップに関連する関連の情報を検査員または他の操作員に提供することができる。
【００６３】
例えば、図８に描いた実施形態では、「検査設備１」３０２は、検査が行われようとしていることを判別することができる。したがって、検査情報を識別することができ、ステップ０用の識別子を、データプロバイダサービス３０８、ここではクラウドベースのサービス３１０へ提供することができる。現在の例が、導入情報を提供することができる導入ステップを図説するためにステップ０を使用するとはいえ、導入情報を提供する他の実施形態では、ステップ０などの特定の導入ステップを指定せずにこのような導入情報を提供するステップを含むことができる。例えば、いくつかの実施形態では、ひとまとまりの検査設備は、検査アプリケーションまたは検査計画の初期化に基づいて導入情報を提供することができる。
【００６４】
「検査設備１」３０２は、現在の例ではデータプロバイダサービスへの直接通信結合がないので、データプロバイダサービス３０８への直接通信結合がある「検査設備２」３０４に識別子３２２を提供する可能性がある。「検査設備２」３０４は、データプロバイダサービス３０８に識別子３２２を中継することができ、この場合、サービス３０８は、現在のステップ識別子３２２に関連する関連の補足データを集めることができる。
【００６５】
関連の補足データは、プロセス３２０の特定のステップに依存して変わることがある。例えば、上に述べたように、ステップ０は、全体の検査に関係することがある。したがって、全体の検査および／または検査すべき全体の対象物に関連する補足データ３２４を提供することができる。しかしながら、検査プロセス３２０の特定のステップ（例えば、ステップ１、ステップ２、またはステップ３）の前に、間に、および／または完了後には、別の補足データが役に立つことがある。例えば、特定のステップ３２２用の補足データ３２４は、オーディオ、ビデオ、ハプティックフィードバック、および／または特定のステップ３２２を完了するために有用な適正な技術に関するテキストベースの命令を提供することができる。加えて、補足データ３２４は、特定のステップ３２２に関連するデータおよび特定のステップ３２２を実施している間に入手したデータを含むことができる。
【００６６】
一旦、補足データ３２４が集められると、データプロバイダサービス３０８は、補足データ３２４を要求している検査設備へ（例えば、現在の例では、「検査設備２」３０４を介して「検査設備１」３０２へ）補足データ３２４を提供することができる。したがって、検査設備は、表示デバイス（例えば、現在の例では、「検査設備１」３０２のディスプレイ３２６）を介して補足データ３２４を提示することができる。
【００６７】
図９は、ある実施形態による、検査中にステップに特有の補足データを提供するために有用な代替検査システムの模式図である。現在の実施形態では、「検査設備１」３０２および「検査設備２」３０４の両方は、矢印３１２によって図示したように、データプロバイダサービス３０８に直接通信可能に結合される。したがって、「検査設備１」３０２は、「検査設備２」３０４を通して補足データ要求を提出しないが、代わりにデータプロバイダサービス３０８に直接要求を提出する。前に論じたように、検査プロセスは、多くのステップ３２２を含むことができ、検査ステップ３２２に関連する補足データ３２４を、表示デバイス（例えば、ディスプレイ３２６）を介して提示することができる。上に論じたように、補足データは、例えば、検査される対象物に関係するオブジェクトデータ３１０’、検査設備に関係する検査設備データ３１２’、以前の検査に関係する過去のデータ３１４、または任意の他のデータ３１６を含むことができる。
【００６８】
現在の例では、「検査設備２」３０４は、検査ステップ３５２を用いて検査３５０を完了させるために使用される。操作員が特定の現在のステップ３５２を指定することを可能にするために、ユーザ入力デバイス３５４（例えば、キーパッド、タッチパッド、マイクロフォン、など）を使用することができる。現在のステップ３５２の識別子を、補足データ３５６が集められるデータプロバイダサービス３０８（例えば、クラウドベースのデータプロバイダ３１０）に提供することができる。補足データ３５６は、「検査設備２」３０４に提供され、ディスプレイ３５８上に提示される。
【００６９】
図１０Ａ、図１０Ｂは、ある実施形態による、ステップに特有の補足データを提示することを図示する模式図である。検査設備３９０は、ディスプレイ３９２および／または１つまたは複数のスピーカ３９４を備える。多くの構成部品を有する対象物を検査するために、検査設備を利用することができる。例えば、現在の例では、検査設備は、発電機３９８、取入れ口４００、低圧圧縮機４０２、高圧圧縮機４０４、燃焼器４０６、高圧タービン４０８、低圧タービン４１０、および排気システム４１２を含むタービン３９６の検査において使用されている。検査設備は、タービンシステム３９６の検査が計画を立てられていると判断すると、総合的なタービンシステム検査のためのオーバービュー命令４１４を提供することができる。さらに、検査設備３９０は、検査すべき対象物（例えば、タービンシステム３９６）を決定することに基づいて（例えば、図７のプロセス２９０に従って）総合的なタービンシステム検査のための補足データ４１６を入手することができる。補足データ４１６を、ディスプレイ３９２および／またはスピーカ３９４を介して提示することができる。例えば、現在の実施形態では、分割スクリーンは、同じ視野内にオーバービュー命令４１４および全体的なタービンシステム３９６についての補足データ４１６を提供する。
【００７０】
対象物の特定の構成部品を検査することができる。例えば、現在の例では、検査設備３９０は、高圧圧縮機４０４を検査するために使用されている。（ステップ０の参照番号４１７によって示したように）高圧圧縮機の検査を検出すると、オーバービュー命令４１８および／または高圧圧縮機４０４の検査のオーバービューに関連する補足データ４２０を、（例えば、ディスプレイ３９２および／またはスピーカ３９４を介して）提供することができる。（ステップ１の参照番号４２２によって示したように）ステップ１を検出すると、ステップ１の命令４２４および／または高圧圧縮機４０４の検査のステップ１に関連する補足データ４２６を、（例えば、ディスプレイ３９２および／またはスピーカ３９４を介して）提供することができる。さらに、（ステップ２の参照番号４２８によって示したように）ステップ２を検出すると、ステップ２の命令４３０および／またはステップ２に関連する補足データ４３２を提供することができる。加えて、（ステップ３の参照番号４３４によって示したように）ステップ３を検出すると、ステップ３の命令４３６および／またはステップ３に関連する補足データ４３８を提供することができ、以下同様である。
【００７１】
認識できるように、ステップベースの補足データを利用することによって、検査は、より効率的かつ正確になり得る。ステップベースの補足データは、検査ステップについての関心のある特定の情報を提供することができ、検査される対象物に関係する情報、過去の検査データ、および／または検査設備に関係する情報を提供することができる。したがって、検査設備の操作員は、より多くの情報を得ることができ、検査をより正確かつ経済的に完了することが可能である。
【００７２】
この明細書は、最良の形態を含む本発明を開示するために、ならびにいかなる当業者でも、いずれかのデバイスまたはシステムを作ることおよび使用すること、およびいずれかの組み込んだ方法を実行することを含む本発明を実行することをやはり可能にするために例を使用する。本発明の特許可能な範囲は、特許請求の範囲によって規定され、当業者なら思い付く他の例を含むことができる。このような他の例が特許請求の範囲の文面から逸脱しない構造的要素を有する場合、またはこのような他の例が特許請求の範囲の文面とは実質的でない差異しか有しない等価な構造的要素を含む場合には、このような他の例は、特許請求の範囲の範囲内であるものとする。
【符号の説明】
【００７３】
１０  非破壊試験（ＮＤＴ）システム
１２  ＮＤＴ検査デバイス
１４  ボアスコープシステム
１５  プロセッサ
１６  パンチルトズーム（ＰＴＺ）カメラ
１７  メモリ
１８  ターボ機械
１９  プロセッサ
２０  施設
２１  メモリ
２２  モバイルデバイス
２３  プロセッサ
２４  クラウド
２５  メモリ
２６  ボアスコープ操作員
２８  モバイルデバイス操作員
２９  コンピューティングシステム
３０  カメラ操作員
３２  燃料ノズル
３４  圧縮機
３６  燃焼器
３８  空気取入れ部
４０  ステージ
４２  ステージ
４４  ステージ
４６  静止翼
４８  ブレード
５０  ホイール
５２  シャフト
５４  タービン
５６  ディフューザ
６０  ステージ
６２  ステージ
６４  ステージ
６６  バケット
６８  ロータホイール
７０  ロータホイール
７２  ロータホイール
７４  シャフト
７６  ケーシング
８０  排気部
８４  設備
８６  コンジット
８８  水面下
９０  湾曲部
９２  渦電流検査デバイス
９３  プロセッサ
９４  超音波探傷器
９５  メモリ
９６  ディジタルラジオグラフィデバイス
９７  プロセッサ
９８  渦電流操作員
９９  メモリ
１００  超音波デバイス操作員
１０１  プロセッサ
１０２  ラジオグラフィ操作員
１０３  メモリ
１０４  航空機システム
１０６  施設
１０８  パイプ
１１０  クラック
１１２  鉄材または非鉄材
１１４  部品
１１６  構成部品
１１８  挿入チューブ
１２０  ヘッドエンド
１２２  関節部
１２４  コンジット部
１２６  振動センサ
１２８  光源
１３０  センサ
１３１  物理ジョイスティック
１３３  ＸＹＺ軸
１３４  ビデオ
１３５  スクリーン
１３６  チップ
１３７  スクリーン
１３８  光源
１４０  センサ
１４２  シャフト
１５０  プロセス
１５９  報告書
１６２  ワイアレスコンジット
１６４  認可データ
１６６  スクリーンスクレイピングデータ
１７２  同期信号
１７４  センサデータ
１７６  力フィードバックデータ
１７８  位置データ
１８０  オブジェクトデータ
１８２  他のデータ
２９０  プロセス
２９２  ブロック
２９４  ブロック
２９６  ブロック
３００  検査システム
３０２  検査設備１
３０４  検査設備２
３０６  通信矢印
３０８  データプロバイダサービス
３１０  クラウドベースのデータプロバイダ
３１０’  オブジェクトデータ
３１２  矢印
３１２’  検査設備データ
３１４  過去の検査データ
３１６  他のデータ
３２０  検査プロセス
３２２  ステップ
３２４  補足データ
３２６  ディスプレイ
３５０  検査
３５２  検査ステップ
３５４  ユーザ入力デバイス
３５６  補足データ
３５８  ディスプレイ
３９０  検査設備
３９２  ディスプレイ
３９４  スピーカ
３９６  タービンシステム
３９８  発電機
４００  取入れ口
４０２  低圧圧縮機
４０４  高圧圧縮機
４０６  燃焼器
４０８  高圧タービン
４１０  低圧タービン
４１２  排気システム
４１７  ステップ０
４１８  オーバービュー命令
４２０  補足データ
４２２  ステップ１
４２４  ステップ１の命令
４２６  補足データ
４２８  ステップ２
４３０  ステップ２の命令
４３２  補足データ
４３４  ステップ３
４３６  ステップ３の命令
４３８  補足データ
【図１】
2016511866.tif 000003
【図２】
2016511866.tif 000004
【図３】
2016511866.tif 000005
【図４】
2016511866.tif 000006
【図５】
2016511866.tif 000007
【図６】
2016511866.tif 000008
【図７】
2016511866.tif 000009
【図８】
2016511866.tif 000010
【図９】
2016511866.tif 000011
【図１０Ａ】
2016511866.tif 000012
【図１０Ｂ】
2016511866.tif 000013
【国際調査報告】
2016511866.tif 000014
2016511866.tif 000015